(57)【要約】【課題】電線カバーの装着時に電線の噛み込みを防止する。【解決手段】コネクタ２の後部に電線カバー２０が装着された電線カバー付きコネクタ１において、コネクタ２の後面の電線引出部１１の近傍に、電線を引っ掛けることで、電線Ｗを束の状態でコネクタの外面に沿った上方向及び前方向に屈曲させるガイド突起（第１の電線規制部）１５が設けられ、ガイド突起から離れた位置に、ガイド突起に引っ掛けられることで屈曲させられた電線の復元方向の反力を規制壁１６ｂで受け止め且つその状態で電線を前方へ向けて導き出す電線保持部（第２の電線規制部）１６が設けられ、規制壁の先端に断面コ字状の電線導出壁１７が連設され、電線カバーに、電線導出壁の開放された一側面を覆う延長壁２３が設けられている。【選択図】図１
2012156112.tif 000002
【特許請求の範囲】
【請求項１】
コネクタの後部に、該コネクタの後部から引き出された複数の電線を保護する電線カバーが装着された電線カバー付きコネクタにおいて、
前記コネクタの後面に、後方へ向けて前記複数の電線を引き出す電線引出部が設けられ、
その電線引出部の近傍に、前記電線引出部から後方へ向けて引き出された複数の電線を引っ掛けることにより、該複数の電線を束の状態で癖付けして前記コネクタの外面に沿った方向に屈曲させる第１の電線規制部が設けられ、
該第１の電線規制部から離れた位置に、該第１の電線規制部に引っ掛けられることで屈曲させられた電線の復元方向の反力を規制壁で受け止め且つその状態で前記複数の電線を束のまま保持することにより、前記電線を前記所定の方向へ向けて導き出す第２の電線規制部が設けられ、
該第２の電線規制部の前記規制壁の先端に、一側面のみが前記電線の挿入用に開放された断面コ字状の電線導出壁が連設され、
一方、前記電線カバーに、前記コネクタの後部に該電線カバーを装着したとき、前記断面コ字状の電線導出壁の開放された一側面を覆う延長壁が設けられ、
前記電線導出壁と前記延長壁の先端の位置が揃えられていることを特徴とする電線カバー付きコネクタ。
【請求項２】
前記延長壁が、前記断面コ字状の電線導出壁の開放された一側面を覆う第１壁と、前記電線導出壁の外面に重ねられる第２壁とを有した断面Ｌ字状に形成されていることを特徴とする請求項１に記載の電線カバー付きコネクタ。
【発明の詳細な説明】
【技術分野】
【０００１】
本発明は、電線カバー付きコネクタに関するものである。
【背景技術】
【０００２】
コネクタの後部に電線カバーを装着した電線カバー付きコネクタが、例えば、特許文献１などにおいて知られている。この場合の電線カバーは、主に、コネクタの後部から引き出された複数の電線を保護しつつ所定の方向へ案内して導き出す目的で設けられている。
【０００３】
図１０（ａ）、（ｂ）は従来の電線カバー付きコネクタ１０１を示しており、（ａ）はコネクタの後部に電線カバーの下半体を装着し、コネクタの後部から後方へ引き出された電線を束にして電線カバーの案内方向へ向かうよう癖付けしている状態を示す平面図、（ｂ）は電線カバーの上半体を下半体に合体させた状態を示す平面図である。
【０００４】
図１０に示すように、この電線カバー付きコネクタ１０１は、コネクタ１０２と、該コネクタ１０２に後から装着される電線カバー１２０とから構成されている。コネクタ１０２の後面には電線引出部１１１が設けられており、コネクタハウジングの各端子収容室に収容された端子から延びる複数の電線Ｗは、電線引出部１１１から後方へ向けて引き出されている。そして、これらの電線Ｗを保護しつつ所定の方向へ案内して導き出す目的で、コネクタ１０２の後部に電線カバー１２０が装着されている。
【０００５】
この場合の電線カバー１２０は、先にコネクタ１０２の後部に装着される下半体１２１と、該下半体１２１にヒンジ１２３を介して開閉自在に連結された上半体１２２とから構成されている。
【０００６】
この電線カバー付きコネクタ１０１を組み立てる場合は、まず、コネクタハウジングの各端子収容室に電線Ｗの端末に接続した端子を挿入してコネクタ１０２を組み立て、次いで、コネクタ１０２の後部に電線カバー１２０の下半体１２１を取り付け、その状態で、コネクタ１０２の後部から後方へ引き出された電線Ｗを電線カバー１２０の下半体１２１によって誘導しようとする方向へ曲げて癖付けする。次に、下半体１２１と上半体１２２の引出口１２５の位置を合わせて、コルゲートチューブ１２８を嵌めながら、上半体１２２を閉じ位置まで回動させ、下半体１２１と上半体１２２を互いにロックする。これにより、電線カバー付きコネクタ１０１が完成する。
【先行技術文献】
【特許文献】
【０００７】
【特許文献１】特開２００６−２１０２４３号公報
【発明の概要】
【発明が解決しようとする課題】
【０００８】
ところで、従来の電線カバー付きコネクタ１０１においては、電線カバー１２０をコネクタ１０２に装着する際に、コネクタ１０２から後方に延びる電線Ｗを癖付けしながら電線カバー１２０を装着するのであるが、コネクタ１０２には電線Ｗを規制するものがないために電線Ｗがばらけてしまい、電線カバー１２０の下半体１２１と上半体１２２を合わせる際に、下半体１２１と上半体１２２の間にばらけた電線を噛み込んでしまうことがあった。このような電線Ｗの噛み込みが発生すると、作業をやり直さなくてはならないため、組立サイクルタイムが増加するという問題を生じていた。
【０００９】
本発明は、上述した事情に鑑みてなされたものであり、その目的は、電線カバーの装着時に電線の噛み込みを起こすことがなく、組立のサイクルタイムの削減を図ることのできる電線カバー付きコネクタを提供することにある。
【課題を解決するための手段】
【００１０】
本発明の上記目的は、下記の構成により達成される。
（１）  コネクタの後部に、該コネクタの後部から引き出された複数の電線を保護する電線カバーが装着された電線カバー付きコネクタにおいて、
前記コネクタの後面に、後方へ向けて前記複数の電線を引き出す電線引出部が設けられ、
その電線引出部の近傍に、前記電線引出部から後方へ向けて引き出された複数の電線を引っ掛けることにより、該複数の電線を束の状態で癖付けして前記コネクタの外面に沿った方向に屈曲させる第１の電線規制部が設けられ、
該第１の電線規制部から離れた位置に、該第１の電線規制部に引っ掛けられることで屈曲させられた電線の復元方向の反力を規制壁で受け止め且つその状態で前記複数の電線を束のまま保持することにより、前記電線を前記所定の方向へ向けて導き出す第２の電線規制部が設けられ、
該第２の電線規制部の前記規制壁の先端に、一側面のみが前記電線の挿入用に開放された断面コ字状の電線導出壁が連設され、
一方、前記電線カバーに、前記コネクタの後部に該電線カバーを装着したとき、前記断面コ字状の電線導出壁の開放された一側面を覆う延長壁が設けられ、
前記電線導出壁と前記延長壁の先端の位置が揃えられていることを特徴とする電線カバー付きコネクタ。
【００１１】
（２）  前記延長壁が、前記断面コ字状の電線導出壁の開放された一側面を覆う第１壁と、前記電線導出壁の外面に重ねられる第２壁とを有した断面Ｌ字状に形成されていることを特徴とする上記（１）に記載の電線カバー付きコネクタ。
【００１２】
上記（１）の構成の電線カバー付きコネクタによれば、コネクタに、該コネクタの後部から引き出された複数の電線を所定の方向へ向くように癖付けして規制する第１の電線規制部と第２の電線規制部が設けられているので、電線のばらけを防ぐことができる。つまり、コネクタの後部から引き出された複数の電線を、第１の電線規制部に引っ掛けて屈曲させ、更にその電線を第２の電線規制部により規制しながら保持することにより、ばらけを防ぎながら電線を固定することができる。従って、電線カバーの装着時における電線の噛み込みの問題を解消しながら、電線カバーを容易に装着することができ、組立のサイクルタイムの削減を図ることができる。
【００１３】
しかも、第２の電線規制部の規制壁の先端に、一側面のみが開放された断面コ字状の電線導出壁を連設すると共に、電線カバーに、前記断面コ字状の電線導出壁の開放された一側面を覆う延長壁を設けているので、電線を全周が壁（電線導出壁と延長壁）で囲まれた筒状の部分を通して外部に導き出すことができる。従って、その電線導出壁と延長壁とで構成される筒状の部分の外側にテープ巻きを施すことにより、電線にどの方向からハーネステンションが加わった際にも、電線導出壁と延長壁とでそのハーネステンションを受け止めることができ、テープに直接負荷がかからないようにすることができて、テープが破れて中から電線が外れるようなことを無くせる。
【００１４】
また、電線導出壁と延長壁とで構成される筒状の部分の先端にコルゲートチューブの端部を突き当てて、電線と共にコルゲートチューブをテープ巻きする場合にも、電線導出壁と延長壁の先端の位置を揃えているので、筒状の部分にバランスよくコルゲートチューブの端部を突き当てることができ、テープ巻き作業がやりやすくなる。
【００１５】
上記（２）の構成の電線カバー付きコネクタによれば、延長壁が、前記断面コ字状の電線導出壁の開放された一側面を覆う第１壁と、前記電線導出壁の外面に重ねられる第２壁とを有した断面Ｌ字状に形成されているので、延長壁を容易に定位置に位置決めすることができ、テープ巻きする際にも延長壁がずれる心配がなく、テープ巻き作業がしやすくなる。
【発明の効果】
【００１６】
本発明によれば、コネクタに設けられた電線規制部によって電線のばらけを防ぐことができるので、電線カバーの装着時における電線の噛み込みの問題を解消することができ、組立のサイクルタイムの削減を図ることができる。
【００１７】
また、電線を最終的に外部に導き出す部分を、コネクタ側に設けた断面コ字状の電線導出壁と電線カバー側に設けた延長壁とによって、全周が閉じた形の筒状に構成することができるので、その筒状の部分の外側にテープ巻きを施すことにより、電線にどの方向からハーネステンションが加わった際にも、電線導出壁と延長壁とでそのハーネステンションを受け止めることができるようになり、テープに直接負荷がかからないようにすることができる。従って、テープが破れて中から電線が外れるようなことを無くせる。
【００１８】
また、電線導出壁と延長壁とで構成される筒状の部分の先端にコルゲートチューブの端部を突き当てて、電線と共にコルゲートチューブをテープ巻きする場合にも、電線導出壁と延長壁の先端の位置を揃えているので、筒状の部分にバランスよくコルゲートチューブの端部を突き当てることができ、テープ巻き作業がやりやすくなる。
【図面の簡単な説明】
【００１９】
【図１】本発明の実施形態の電線カバー付きコネクタの構成図で、コネクタハウジングに端子を装着する前の状態を示す斜視図である。
【図２】同実施形態の電線カバー付きコネクタのコネクタ側の構成を示す図で、（ａ）はコネクタを斜め前方から見た斜視図、（ｂ）は（ａ）のＩＩｂ矢視方向から見た正面図である。
【図３】同実施形態の電線カバー付きコネクタの電線カバー側の構成を示す図で、（ａ）は電線カバーを斜め前方から見た斜視図、（ｂ）は（ａ）のＩＩＩｂ矢視方向から見た正面図である。
【図４】コネクタハウジングに電線の付いた端子を装着することでコネクタを構成した状態を示す平面図である。
【図５】（ａ）及び（ｂ）は、コネクタの後部から引き出された電線を、第１の電線規制部であるガイド突起に引っ掛けることで、コネクタの外面に沿って上方向及び前方向に束の状態のまま屈曲させて延ばし、その状態で更に第２の電線規制部である電線保持部の電線通し溝に通すことで、電線を束の状態のまま保持固定した状態を示す平面図及び後面図である。
【図６】電線を第１、第２の電線規制部によって保持固定した状態で、コネクタの後部に電線カバーを装着しようとしている状態を示す斜視図である。
【図７】コネクタの後部に電線カバーを装着して電線カバー付きコネクタを完成させた状態を示す斜視図である。
【図８】（ａ）は同完成した電線カバー付きコネクタの正面図、（ｂ）は（ａ）のＶＩＩＩｂ−ＶＩＩＩｂ矢視断面図である。
【図９】同完成した電線カバー付きコネクタの電線導出部にコルゲートチューブを突き当てている状態を示す側面図である。
【図１０】従来の電線カバー付きコネクタの構成図で、（ａ）はコネクタの後部に電線カバーの下半体を装着し、コネクタの後部から後方へ引き出された電線を束にして電線カバーの案内方向へ向かうよう癖付けしている状態を示す平面図、（ｂ）は電線カバーの上半体を下半体に合体させた状態を示す平面図である。
【発明を実施するための形態】
【００２０】
以下、本発明の実施形態を図面を参照して説明する。
図１は実施形態の電線カバー付きコネクタの構成図で、コネクタハウジングに端子を装着する前の状態を示す斜視図、図２は同電線カバー付きコネクタのコネクタ側の構成を示す図で、（ａ）はコネクタを斜め前方から見た斜視図、（ｂ）は（ａ）のＩＩｂ矢視方向から見た正面図、図３は同電線カバー付きコネクタの電線カバー側の構成を示す図で、（ａ）は電線カバーを斜め前方から見た斜視図、（ｂ）は（ａ）のＩＩＩｂ矢視方向から見た正面図である。また、図４はコネクタハウジングに電線の付いた端子を装着することでコネクタを構成した状態を示す平面図、図５（ａ）及び（ｂ）は、コネクタの後部から引き出された電線を、第１の電線規制部であるガイド突起に引っ掛けることで、コネクタの外面に沿って上方向及び前方向に束の状態のまま屈曲させて延ばし、その状態で更に第２の電線規制部である電線保持部の電線通し溝に通すことで、電線を束の状態のまま保持固定した状態を示す平面図及び後面図、図６は電線を第１、第２の電線規制部によって保持固定した状態で、コネクタの後部に電線カバーを装着しようとしている状態を示す斜視図、図７はコネクタの後部に電線カバーを装着して電線カバー付きコネクタを完成させた状態を示す斜視図、図８（ａ）は同完成した電線カバー付きコネクタの正面図、（ｂ）は（ａ）のＶＩＩＩｂ−ＶＩＩＩｂ矢視断面図、図９は同完成した電線カバー付きコネクタの電線導出部にコルゲートチューブを突き当てている状態を示す側面図である。
【００２１】
図１に示すように、この電線カバー付きコネクタ１は、コネクタハウジング１０及び該コネクタハウジング１０に収容される複数の端子３０（図１では代表として１個だけを記載）とからなるコネクタ２と、該コネクタ２に後から装着される電線カバー２０とから構成されている。電線カバー２０は、コネクタ２の後部から引き出された複数の電線Ｗを保護する目的で設けられている。
【００２２】
コネクタハウジング１０の後面には、端子３０から後方へ延びる複数の電線を引き出す電線引出部１１が設けられており、電線引出部１１に、各端子収容室の後端開口１２が横（左右方向）に並べて一列に配列されている。また、コネクタハウジング１０の上面の幅方向中央には、相手側コネクタと嵌合した際に相手側コネクタハウジングのロック部と係合するロックアーム１３が設けられている。
【００２３】
図４に示すように、端子３０（図１参照）をコネクタハウジング１０の各端子収容室に挿入すると、端子３０に接続された電線Ｗは、電線引出部１１から後方へ向けて引き出される。図１、図２、図４、図５、図６に示すように、コネクタハウジング１０の後面の端子収容室の後端開口１２の配列の上側（電線引出部１１の近傍に相当）には、後面側から見て右端の端子収容室の後端開口１２の近傍に位置させて、コネクタ２の後部から引き出された複数の電線Ｗを引っ掛けることにより、それら複数の電線Ｗを束の状態でコネクタ２の外面に沿った上方向及び前方向に屈曲させる第１の電線規制部としてのガイド突起１５が設けられている。このガイド突起１５は、確実に電線Ｗを引っ掛けることができるように、電線引出部１１の後端１１ａよりも後方に突き出している。
【００２４】
このガイド突起１５に引っ掛けて屈曲させることでコネクタ２の外面に沿って上方向から前方向に向けて延ばした電線Ｗの束は、そのままでは電線Ｗ自身の復元力により元の形態に戻ってしまう。そこで、その復元方向の力を受け止められるように、第２の電線規制部としての電線保持部１６が、コネクタ２の上面の後面側から見て右側部に設けられている。この電線保持部１６は、後方から見て倒立Ｌ字形断面の規制壁１６ｂにより構成されており、規制壁１６ｂの内側に、コネクタ２の幅方向中央に向けて開放し且つ前後方向に貫通した電線通し溝１６ａを有している。
【００２５】
ガイド突起１５と電線保持部１６は、ガイド突起１５に引っ掛けて屈曲させることでコネクタ２の上面に沿って前方に延ばした電線Ｗが、電線保持部１６の電線通し溝１６ａにちょうど収まるような位置関係にあり、ガイド突起１５と電線保持部１６は離れた位置にある。そして、ガイド突起１５で屈曲させた電線Ｗを電線保持部１６の電線通し溝１６ａに通すことにより、電線Ｗを束のままばらけずに保持することができ、電線Ｗを前方へ向けて誘導することができるようになっている。
【００２６】
また、第２の電線規制部である電線保持部１６の倒立Ｌ字形断面の規制壁１６ｂの先端には、内側を向いた側面のみが電線Ｗの挿入用に開放された断面コ字状の電線導出壁１７が連設されている。この電線導出壁１７は、コネクタハウジング１０の上壁から延長した下壁１７ｅと、その下壁１７ｅの幅方向の一側縁から起立した側壁１７ｃと、側壁１７ｃの上端縁から内側に下壁１７ｅと平行に延びる上壁１７ｄとからなり、側壁１７ｃと上壁１７ｄは倒立Ｌ字形断面の規制壁１６ｂから延長した壁として設けられている。そして、これら上壁１７ｄと側壁１７ｃと下壁１７ｅとで囲まれた電線導出壁１７の内側の空間が、電線保持部１６の電線通し溝１６ａに連続した電線通し溝１７ａとなっている。
【００２７】
一方、図３に示すように、電線カバー２０は、コネクタ２の後面全体を覆う袋形のカバー本体部２１と、そのカバー本体部２１の、後方から見て右片側に前に突き出すように連設された電線保持部カバー部２２と、その電線保持部カバー部２２の前側に延長された延長壁２３とを有している。この延長壁２３は、前記断面コ字状の電線導出壁１７の開放された一側面を覆う側壁２３ｅ（第１壁）と、電線導出壁１７の上壁１７ｄの外面に重ねられる上壁２３ｄ（第２壁）とを有した断面Ｌ字状に形成されており、上壁２３ｄの先端外面にはテープ巻きした際にテープがずれないようにするリブ２３ｆが設けられている。また、電線導出壁１７と延長壁２３の両先端は、コネクタ２に電線カバー２０を装着したとき、互いに位置が一致するように揃えられている。
【００２８】
また、カバー本体部２１は、単にコネクタ２の後面ばかりでなく、コネクタ２の後半部の上面や側面や下面をも覆える大きさに形成されており、不用意に解除操作が行われないようにするためにロックアーム１３の一部をも覆えるようになっている。但し、図８（ｂ）に示すように、真上から解除操作する際には、指でロックアーム１３の解除操作部を押圧操作できるように、カバー本体部２１の上壁には切欠２６が設けられている。
【００２９】
この電線カバー付きコネクタ１を組み立てる場合、まず、図１に示すように、電線Ｗの端末に接続された端子３０をコネクタハウジング１０の各端子収容室に後端開口１２から挿入しセットする。図４のように全部の端子３０の挿入・セットを終えてコネクタ２を組み立てたら、図５（ａ）の矢印Ａで示すように、コネクタ２の後部の電線引出部１１から後方へ引き出された複数の電線Ｗをいったん横方向に曲げながら引き出す。そして、図５（ａ）の矢印Ｂで示すように、全ての電線Ｗを束にした状態で、ガイド突起１５の下側からガイド突起１５に引っ掛けながら上方に持ち上げ、そのままコネクタハウジング１０の上面に沿って前方へ誘導して、電線保持部１６の電線通し溝１６ａに通す。
【００３０】
こうすることにより、ガイド突起１５に引っ掛けられることで屈曲させられた電線Ｗの復元方向の反力を、電線保持部１６の断面Ｌ字形の規制壁１６ｂで受け止めることができ、その状態で複数の電線Ｗを束のまま保持することができて、電線Ｗを前方（電線カバー２０で誘導しようとする所定の方向）へ向けて導き出すことができる。特に、電線保持部１６の規制壁１６ｂの先端に断面コ字状の電線導出壁１７を設けているので、その電線導出壁１７の内側の電線通し溝１７ａに電線Ｗを収容することで、安定して電線Ｗをコネクタの前方へ向けて導き出すことができる。
【００３１】
以上のごとく電線Ｗを癖付けした状態で電線規制部（ガイド突起１５及び電線保持部１６）により保持固定したら、図６に示すように、後方からコネクタ２の後部に電線カバー２０を装着する。装着した状態で、図７及び図８に示すように、電線カバー２０のカバー本体部２１が、コネクタ２の後面全体を覆い隠すと共に、ロックアーム１３の一部をも覆い隠す。また、電線保持部カバー部２２が、前方に向けて癖付けした電線Ｗの屈曲部や電線保持部１６を覆い隠す。また、延長壁２３が、電線導出壁１７に沿って前方に延びることで、電線導出壁１７の開放した内側の側面を塞ぐ。従って、電線導出壁１７と延長壁２３で構成される角筒状の部分をプロテクタとして、その外側をテープ巻きすることにより、電線導出壁１７と延長壁２３を相互に固定しながら、電線Ｗを前方へ向けて導出することができる。
【００３２】
以上のように、本実施形態の電線カバー付きコネクタ１によれば、コネクタ２に、該コネクタ２の後部から引き出された複数の電線Ｗを所定の方向へ向くように癖付けして規制する電線規制部（ガイド突起１５及び電線保持部１６）が設けられているので、電線Ｗのばらけを防ぐことができ、電線カバー２０の装着時における電線Ｗの噛み込みの問題を解消することができる。従って、組立のサイクルタイムの削減を図ることができる。
【００３３】
特に、コネクタ２の後部から引き出された複数の電線Ｗを、第１の電線規制部であるガイド突起１５に引っ掛けて屈曲させ、更にその電線Ｗを第２の電線規制部である電線保持部１６により規制しながら保持することができるので、ばらけを確実に防ぎながら電線Ｗを固定することができ、電線カバー２０を容易に装着することができる。
【００３４】
しかも、電線保持部１６の規制壁１６ｂの先端に、一側面のみが開放された断面コ字状の電線導出壁１７を連設すると共に、電線カバー２０に、前記断面コ字状の電線導出壁１６ｂの開放された一側面を覆う延長壁２３を設けているので、電線Ｗを全周が壁（電線導出壁１７と延長壁２３）で囲まれた筒状の部分を通して外部に導き出すことができる。従って、その電線導出壁１７と延長壁２３とで構成される筒状の部分とプロテクタとしてその外側にテープ巻きを施すことにより、電線Ｗにどの方向（上下左右の全方向）からハーネステンションが加わった際にも、電線導出壁１７と延長壁２３とでそのハーネステンションを受け止めることができ、テープに直接負荷がかからないようにすることができて、テープが破れて中から電線Ｗが外れるようなことを無くせる。
【００３５】
また、図９に示すように、電線導出壁１７と延長壁２３とで構成される筒状の部分の先端にコルゲートチューブ４０の端部を突き当てて、電線と共にコルゲートチューブ４０をテープ巻きする場合にも、電線導出壁１７と延長壁２３の先端の位置（図中符号Ｐで示す部分）を揃えているので、電線導出壁１７と延長壁２３で構成される筒状の部分に、バランスよくコルゲートチューブ４０の端部を突き当てることができ、テープ巻き作業がやりやすくなる。
【００３６】
また、電線カバー２０の延長壁２３を、断面コ字状の電線導出壁１７の開放された一側面を覆う側壁２３ｅと、電線導出壁１７の上壁１７ｄの外面に重ねられる上壁２３ｄとを有した断面Ｌ字状に形成しているので、延長壁２３を容易に定位置に位置決めすることができ、テープ巻きする際にも延長壁２３がずれる心配がなく、テープ巻き作業がしやすくなる。
【００３７】
また、この電線カバー付きコネクタ１においては、電線カバー２０のカバー本体部２１の上壁の延長部分によりロックアーム１３の一部を覆い隠すことができるので、ロックアーム１３を不用意に解除操作するのを防ぐことが可能になる。
【００３８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３９】
例えば、上記実施形態では、コネクタ２の後部から引き出された電線Ｗを前方に向けて誘導する場合を示したが、電線Ｗを誘導する方向は特に限定されず、誘導する方向に応じて電線規制部を設ければよい。
【符号の説明】
【００４０】
１  電線カバー付きコネクタ
２  コネクタ
１１  電線引出部
１５  ガイド突起（第１の電線規制部）
１６  電線保持部（第２の電線規制部）
１６ｂ  規制壁
１７  電線導出壁
２０  電線カバー
２３  延長壁
２３ｄ  上壁（第２壁）
２３ｅ  側壁（第１壁）
Ｗ  電線
【図１】
2012156112.tif 000003
【図２】
2012156112.tif 000004
【図３】
2012156112.tif 000005
【図４】
2012156112.tif 000006
【図５】
2012156112.tif 000007
【図６】
2012156112.tif 000008
【図７】
2012156112.tif 000009
【図８】
2012156112.tif 000010
【図９】
2012156112.tif 000011
【図１０】
2012156112.tif 000012